(57)【要約】【課題】アンケート情報を更新して質問項目の的確性を確保しつつ、既に回答済みの回答者の協力を得てアンケート調査の信頼性を高める。【解決手段】蓄積したアンケート回答データの分析では、各質問項目8に含まれる各選択肢の選択率が上限選択率を超えているか又は下限選択率を下回っているかの判定を行う(S7,S8,S11)。例えば回答が集中している選択肢が存在している場合には、その質問項目8を、これに代わる新たな質問項目8Bに差し替えてアンケート情報を更新する(S14)。また、既回答者に対して、新たな質問項目だけで構成された追加のアンケート情報を配信する(S16)。【選択図】図６
2007172340.tif 000002
【特許請求の範囲】
【請求項１】
通信端末からの要請に応じて、数多くの質問項目を含むアンケート情報を管理装置から通信ネットワークを使って前記通信端末に配信するアンケート配信ステップと、
前記アンケート情報を受け取った前記通信端末の表示部に、前記数多くの質問項目を所定の表示順序で表示する質問項目表示ステップと、
前記通信端末を使って前記質問項目の質問に対する回答を入力する回答入力ステップと、
回答が終わったアンケート回答データを前記通信端末から前記管理装置に送信する回答データ送信ステップと、
数多くの前記通信端末から前記管理装置に送られてきた前記アンケート回答データを蓄積する回答データ蓄積ステップとを有し、
前記数多くの質問項目の一部の質問項目を新たな質問項目に変更することで最新のアンケート情報に更新したときに、該新たな質問項目だけで構成された追加のアンケート情報を既に回答済みの回答者の通信端末に配信することを特徴とするアンケート調査方法。
【請求項２】
前記数多くの質問項目に含まれる選択肢のうち特定の選択肢の選択が集中したときに、当該選択肢の属する質問項目が新たな質問項目に変更される、請求項１に記載のアンケート調査方法。
【請求項３】
前記新たな質問項目が、前記選択が集中した特定の選択肢の下位に属する突っ込んだ質問内容で構成される、請求項２に記載のアンケート調査方法。
【請求項４】
前記数多くの質問項目に含まれる選択肢のうち殆ど選択されていない選択肢を含むときに、当該選択肢の属する質問項目が新たな質問項目に変更される、請求項１〜３のいずれか一項に記載のアンケート調査方法。
【請求項５】
前記新たな質問項目が、前記殆ど選択されていない選択肢の意図を具体的に分かり易い表現に変えた質問内容で構成される、請求項４に記載のアンケート調査方法。
【請求項６】
通信端末からの要請に応じて、数多くの質問項目を含むアンケート情報を管理装置から通信ネットワークを使って前記通信端末に配信するアンケート配信ステップと、
前記アンケート情報を受け取った前記通信端末の表示部に、前記数多くの質問項目を所定の表示順序で表示する質問項目表示ステップと、
前記通信端末を使って前記質問項目の質問に対する回答を入力する回答入力ステップと、
回答が終わったアンケート回答データを前記通信端末から前記管理装置に送信する回答データ送信ステップと、
数多くの前記通信端末から前記管理装置に送られてきた前記アンケート回答データを蓄積する回答データ蓄積ステップと、
該蓄積された回答データを分析して、過度又は過小な選択率の選択肢が属する質問項目を特定する分析ステップと、
該特定した質問項目を、予め蓄積してある交換用の質問項目に差し替えて前記アンケートを更新するアンケート情報更新ステップと、
前記交換用の質問項目で構成された追加のアンケート情報を作成する追加のアンケート情報作成ステップとを有し、
前記更新後のアンケート情報を新規の通信端末に配信すると共に、既に回答済みの回答者の通信端末に前記追加のアンケート情報を配信することを特徴とするアンケート調査方法。
【請求項７】
前記分析ステップでは、上限及び下限のしきい値と前記アンケート情報に含まれる選択肢の選択率とを比較して、該選択肢の選択率が上限しきい値よりも大きいときに過度の選択率と判定し、前記選択肢の選択率が下限しきい値よりも小さいときに過小の選択率と判定する、請求項６に記載のアンケート調査方法。
【発明の詳細な説明】
【技術分野】
【０００１】
本発明は、アンケートを通信ネットワークを用いて行うアンケート調査方法に関するものである。
【背景技術】
【０００２】
インターネットの普及に伴い、アンケートの実行時間の短縮、コスト削減等を目的として、特許文献１に示すようにウェブアンケートシステムが提案されている。このウェブアンケートシステムは、インターネットを使って管理装置から通信端末にアンケートを配信して回答者からアンケート回答データを受け取り、この回答データを蓄積するものである。蓄積した回答データは種々の観点から集計、分析が行われ、その結果は商品の開発、製造、販売に反映される。
【０００３】
特許文献１は、インターネットを使ったアンケート調査に関し、アンケート情報として、基礎質問情報と、オプション質問情報と、両者の依存関係及びオプション質問の提示条件に関する情報とを含み、初期には基礎質問のみを表示し、そして、基礎質問に対する回答者の回答内容に応じて、必要なオプション質問を表示することを提案している。この提案は、オプション質問を加えることで、質の高いアンケート結果を得ることを企図している。
【特許文献１】特開２００２−１４９９００号公報
【発明の開示】
【発明が解決しようとする課題】
【０００４】
ところで、ウェブアンケート調査は、数多くの質問項目を数多くの者に配信でき、また、アンケートの回答をリアルタイムに入手できるという利便性を備えている。このことから、アンケートを配信する側は、回収した回答データを見ながらアンケートの質問項目を修正又は変更することで、精度又は信頼性を一層高めた調査を行いたいと希望する。
【０００５】
例えば、一部の質問項目を差し替えることでアンケート情報を更新した場合、更新したアンケート情報は、新たに加えた質問項目と、それ以前から存在していた質問項目を含むことになる。この更新したアンケート情報を新たな者に配信することは何らの問題も発生しないが、既に回答済みの者に再度配信した場合には、既回答者にとっては、大部分が同じ質問の繰り返しであり、以前と同じ質問項目に回答することの煩わしさによって、新たな質問項目に積極的に答える意欲を消失させてしまう可能性がある。この傾向は、アンケート情報に含まれる質問項目の数が多くほど顕著となると予想される。
【０００６】
そこで、本発明は、アンケート情報を更新することで、これに含まれる質問項目の的確性を確保しつつ、既に回答済みの回答者の協力を得てアンケート調査の信頼性を高めることのできるアンケート調査方法を提供することにある。
【課題を解決するための手段】
【０００７】
かかる技術的課題は、本発明によれば、
通信端末からの要請に応じて、数多くの質問項目を含むアンケート情報を管理装置から通信ネットワークを使って前記通信端末に配信するアンケート配信ステップと、
前記アンケート情報を受け取った前記通信端末の表示部に、前記数多くの質問項目を所定の表示順序で表示する質問項目表示ステップと、
前記通信端末を使って前記質問項目の質問に対する回答を入力する回答入力ステップと、
回答が終わったアンケート回答データを前記通信端末から前記管理装置に送信する回答データ送信ステップと、
数多くの前記通信端末から前記管理装置に送られてきた前記アンケート回答データを蓄積する回答データ蓄積ステップとを有し、
前記数多くの質問項目の一部の質問項目を新たな質問項目に変更することで最新のアンケート情報に更新したときに、該新たな質問項目だけで構成された追加のアンケート情報を既に回答済みの回答者の通信端末に配信することを特徴とするアンケート調査方法を提供することにより達成される。
【０００８】
本発明によれば、アンケート情報を更新したときには、この更新したアンケート情報が、新たな回答者に配信されることになり、アンケート調査の的確性を高めることができるが、これに加えて、新たな質問項目で構成された追加のアンケート情報を、既に回答済みの回答者に配信する。したがって、既回答者にとって、この追加のアンケート情報に回答する負担が軽減され、新しい質問項目に興味をもって回答すると期待でき、信頼性の高い回答データを入手することができる。
【０００９】
本発明の好ましい実施の形態では、アンケート情報の数多くの質問項目に含まれる選択肢のうち特定の選択肢の選択が集中したときに、当該選択肢の属する質問項目が新たな質問項目に変更されるする。具体的には、選択が集中した特定の選択肢の下位に属する突っ込んだ内容の質問項目に変更される。同様に、アンケート情報の数多くの質問項目に含まれる選択肢のうち殆ど選択されていない選択肢を含むときに、当該選択肢の属する質問項目が新たな質問項目、例えば、この殆ど選択されていない選択肢の意図を具体的に分かり易い表現に変えた内容の質問項目に変更される。
【００１０】
本発明の好ましい実施の形態では、具体的には、
通信端末からの要請に応じて、数多くの質問項目を含むアンケート情報を管理装置から通信ネットワークを使って前記通信端末に配信するアンケート配信ステップと、
前記アンケート情報を受け取った前記通信端末の表示部に、前記数多くの質問項目を所定の表示順序で表示する質問項目表示ステップと、
前記通信端末を使って前記質問項目の質問に対する回答を入力する回答入力ステップと、
回答が終わったアンケート回答データを前記通信端末から前記管理装置に送信する回答データ送信ステップと、
数多くの前記通信端末から前記管理装置に送られてきた前記アンケート回答データを蓄積する回答データ蓄積ステップと、
該蓄積された回答データを分析して、過度又は過小な選択率の選択肢が属する質問項目を特定する分析ステップと、
該特定した質問項目を、予め蓄積してある交換用の質問項目に差し替えて前記アンケートを更新するアンケート情報更新ステップと、
前記交換用の質問項目で構成された追加のアンケート情報を作成する追加のアンケート情報作成ステップとを有し、
前記更新後のアンケート情報を新規の通信端末に配信すると共に、既に回答済みの回答者の通信端末に前記追加のアンケート情報を配信する。
【００１１】
上記選択率をアンケートの回答を受け取る毎に計測することで、例えば、これを上限及び下限のしきい値と比較することで、特定の選択肢に回答が集中した、又は、特定の選択肢が殆ど選択されなかったという事実を容易に判定することができ、これにより迅速にアンケート情報の最適化を図ることができる。
【発明を実施するための最良の形態】
【００１２】
以下に本発明の好ましい実施例を図面を参照して詳しく説明する。
【００１３】
図１は、通信ネットワークとしてインターネットを使ったアンケート調査方法を実行することのできるウェブアンケート調査システムの全体概要を示す。図示のウェブアンケート調査システム１は、数多くのアンケート回答者の各々が操作する通信端末２がインターネット３を介して管理装置４に接続され、管理装置４はサーバを含むコンピュータシステムで構成されている。
【００１４】
回答者が操作する通信端末２は、パーソナルコンピュータ、携帯電話等の画像表示及び入力可能な既知の通信機器が用いられ、そして、通信端末２に搭載されたWebブラウザによってインターネットを通じてWeb（WWW）ページを閲覧することができる。
【００１５】
管理装置４は、ハードディスク、メモリ等からなる記憶部５と、ＣＰＵ等からなる処理部６と、出力部７とを備えており、これらは、バス（図示略）を介して接続されている。記憶部５は、アンケート（アンケートフォームのＨＴＭＬ文書等）、アンケートの回答データ、集計・分析データ、Webサーバープログラム、アンケート情報編集プログラム、データ集計・分析プログラム等の各種プログラムを記憶しており、これら各種プログラムは処理部６で用いられる。
【００１６】
管理装置４はWebサーバープログラムによってWebサーバーとして機能し、回答者からアンケート情報を要求するアクセスがあると、その時点で最新のアンケート情報（アンケートフォームのＨＴＭＬ文書）を当該回答者の通信端末２に配信すると共に、アンケート情報を更新するのに用いられた新たな質問項目に絞り込んだ追加のアンケート情報を、既に回答済みの回答者に送信する。
【００１７】
アンケート情報に含まれる各質問項目８は、一つの質問内容９と、この質問内容９の回答欄１０として複数の選択肢又は文字入力ボックスを含む。質問項目８として、例えば写真などのイメージ画像を表示して、このイメージ画像で表示された商品の印象を問うものであってもよい。例えば自動車に関するWebアンケートであれば、このアンケートに含まれる質問項目８として、例えば次の質問内容を含む。
【００１８】
Ｑ：現在所有している車を新車で購入したか中古車で購入したか？；
Ｑ：誰が運転するか？；
Ｑ：車を購入する際に誰の意見に従ったか？；
Ｑ：購入した車のタイプは？；
Ｑ：次に購入したい車のタイプは？；
Ｑ：３列シート車を選択した理由は？；
Ｑ：運転のし易さは？；
Ｑ：走行性能は？；
Ｑ：次に購入を希望するエンジンタイプや排気量は？；
Ｑ：次に購入する際に重視する使用態様は？；
Ｑ：（Ａ車の写真を表示して）この車のデザイン、スタイルは好きですか？；
Ｑ：（Ｂ車の写真を表示して）この車のデザイン、スタイルは好きですか？；
Ｑ：（Ｃ車の写真を表示して）この車のデザイン、スタイルは好きですか？；
Ｑ：（Ｄ車の写真を表示して）この車から受けるイメージは？；
【００１９】
回答が終了すると、回答者はアンケート回答データを通信端末２から管理装置４に送信する。管理装置４は、数多くの回答者から受け取ったアンケート回答データ（サンプル）を蓄積し、そして、データ集計・分析プログラムによって集計・分析する。
【００２０】
蓄積したアンケート回答データの分析には、回答欄１０に含まれる特定の選択肢が集中的に選択されている場合、又は、特定の選択肢が殆ど選択されていない場合には、この選択肢を含んでいる質問項目８を特定することを含む。
【００２１】
図３を参照して、上記の特定した質問項目８Ａを新たな質問項目８Ｂに置換することで最新のアンケート情報が作成される。この新たな質問項目８Ｂは単数でも複数であってもよい。このような新たな質問項目８Ｂは、この過度の選択率又は過小の選択率が発生するであろうと想定できる選択肢を含む質問項目について予め用意されて記憶部５に記憶されている。
【００２２】
図３の左側の線図が更新前のアンケート情報を示す。更新前の現在のアンケート情報に含まれる第６３番目（Ｑ６３）の質問項目８Ａの質問内容９は、「現在保有しているミニバンの室内全体の広さ感について、不満に思う点をいくつでもチェックしてください。」というものであり、回答欄１０には、複数の選択肢のうち「圧迫感を感じる」という選択肢が含まれている。例えば、この「圧迫感を感じる」という選択肢が集中的に選択されている場合には、この第６３番目の質問項目８Ａが特定の質問項目に該当するとして判定される。
【００２３】
この「現在保有しているミニバンの室内全体の広さ感について、不満に思う点をいくつでもチェックしてください。」という質問項目８Ａでは「圧迫感を感じる」という選択肢に集中すると想定して用意された新たな質問項目８Ｂを図３の右側に図示してある。
【００２４】
この新たな質問項目８Ｂは、「１列目のシートの大きさはどう感じますか？」と「運転席に座ったときのフロントウインドウとの距離をどう感じますか？」とを含み、この質問内容９、９は、上述した更新前の「現在保有しているミニバンの室内全体の広さ感」に関して「圧迫感を感じる」ことの下位に属する突っ込んだ質問である。
【００２５】
アンケート回答者に配信するアンケート情報は、集中した選択肢を含む質問項目８Ａを削除して、その代わりに、新たな質問項目８Ｂを組み込むことにより更新される。更新後のアンケート情報を図４に示す。このように、過度に集中した選択肢や過小な選択率の選択肢が属する質問項目の最適化を行うことによりアンケート調査の的確性を高めることができる。
【００２６】
また、既に回答済みのアンケート回答者に対して追加のアンケート情報として、新たな質問項目８Ｂだけで構成された追加のアンケート情報（図５）が作成され、この追加のアンケート情報は、既に回答済みの回答者に配信される。
【００２７】
図示を省略したが、過度に選択されなかった選択肢が存在している場合には、当該選択肢を含む質問項目８を削除して、その代わりに、予め用意した新たな質問項目８、例えば分かり易い表現に変えた質問内容及び/又は選択肢を含む選択項目８を組み込むことにより更新され、この更新したアンケート情報が、新たなアンケート回答者に配信されると共に、既に回答済みのアンケート回答者に対して追加のアンケート情報として、新たな質問項目８だけで構成された追加のアンケート情報が作成され、この追加のアンケート情報は、既に回答済みの回答者に配信される。
【００２８】
選択肢が過度に選択された又は選択が過小であったという判定に、しきい値として「選択率」を使うのが都合がよい。
【００２９】
選択率とは、{（該当する選択肢）÷（蓄積したアンケート回答データ数）}×１００（％）で定義することができる。他の定義としては、{（該当する選択肢）÷（当該選択肢の属する質問項目であって所定数を超える回答があった、その質問項目の回答数）}×１００（％）で定義することができる。
【００３０】
そして、選択率として、「上限選択率（例えば９５％）」と「下限選択率（例えば５％）」との２つのしきい値を用意して、上限選択率を超えた選択肢を含む選択項目及び下限選択率を下回った選択肢を含む選択項目に対して、上述した選択項目の差し替え及び新たな選択項目だけで構成された追加のアンケート情報が作成される。
【００３１】
実施例の一連の手順を図６のフローチャートに基づいて具体的に説明すると、回答者が管理装置４にアクセスすると（ステップＳ１）、管理装置４は、当該回答者の通信端末２に向けてホームページ（Webページ）を配信する（ステップＳ２）。このホームページには、アンケート回答の意思表示を確認する例えば確認ボタンが掲載されており、回答者が、この確認ボタンをクリックすることで管理装置４に対してアンケートフォームを要求することができる（ステップＳ３）。管理装置４は、回答者からのアンケートフォーム要求信号を受けて、最新のアンケート情報を配信する（ステップＳ４）。
【００３２】
アンケート情報を受け取った回答者は通信端末２の表示部（モニタ）に連続的に表示される質問項目８に含まれる回答欄１０の選択肢を選択したり、文字入力ボックスに入力して回答データを作成した後、アンケート情報に付されている返信ボタン（図示略）をクリックすることにより回答データを管理装置４に返信する。管理装置４は、回答者から送信されたアンケート回答データを受け取ると（ステップＳ５）、この回答データの一部であるメールアドレスを取り込んで記憶する（ステップＳ６）。メールアドレスの代わりにＩＰアドレスを取得してもよく、ＩＰアドレス及びメールアドレスの双方を複合して取得して、これを記憶してもよい。
【００３３】
管理装置４は、回収した回答データを記憶して蓄積した後に、蓄積した回答データの集計、分析を行って各質問項目８に含まれる各選択肢の選択率が上限選択率を超えているか又は下限選択率を下回っているかの判定を行う（ステップＳ７、Ｓ８、Ｓ１１）。
【００３４】
上限選択率を超える選択肢が存在する場合には、ステップＳ９に進んで、当該選択肢が属する質問項目８Ａ（図３）を特定し、これに代わる新たな質問項目８Ｂ（図３）を読み込む（ステップＳ１０）。
【００３５】
同様に、下限選択率を下回る選択肢が存在する場合には（ステップＳ１１）、前述したように、当該選択肢が属する質問項目８を特定し（ステップＳ１２）、これに代わる新たな質問項目８を読み込む（ステップＳ１０）
【００３６】
現在のアンケート情報に含まれる全ての選択肢の選択率が上限選択率と下限選択率との範囲内であるときには、現在のアンケート情報の配信を継続するが、上限選択率を超える選択肢又は下限選択率を下回る選択肢が存在する場合には、ステップＳ１０又はステップＳ１１からステップＳ１４に進んで、該当する選択肢が属する質問項目８の差し替えを行うことで新たなアンケート情報を作成する。また、回答済みの回答者の蓄積されているメールアドレスなどと、過度又は過小の選択率の選択肢を選択した既回答者を抽出し（ステップＳ１５）、抽出した既回答者に対して、新たな質問項目（更新質問項目）だけで構成された追加のアンケート情報を配信する（Ｓ１６）。
【００３７】
この追加のアンケート情報の配信方法として、該当する既回答者のメールアドレスに向けて追加のアンケート情報を配信することを要求するか否かを記載したメールを当該既回答者の通信端末２に送信し、既回答者が配信要求があったときに、追加のアンケート情報を配信するのがよい。
【００３８】
このように、既回答者に対して新たな質問項目だけを配信することで、既回答者にとっては短時間で回答できるだけでなく、新たな質問項目の新しさによって、最初のアンケートに回答のと同様の積極的な回答意思及び数少ない質問項目であるため、この追加のアンケートに対して既回答者は多少の負担感を感じるかも知れないが高い回答率を期待することができる。
【図面の簡単な説明】
【００３９】
【図１】インターネットを使った実施例のアンケート調査を実行するシステムの全体構成を示す図である。
【図２】複数の質問項目を連続的に表示するアンケートのWebページを説明する説明図である。
【図３】過度に集中した選択肢を含む質問項目を差し替えて、回答者に配信するアンケート情報を更新する一例を概念的に示す説明図である。
【図４】更新後の新たなアンケート情報の質問項目を説明するための図である。
【図５】既回答者に配信する、新たな選択項目に限定した追加のアンケート情報を説明するための図である。
【図６】インターネットを使ったアンケート調査のやり方の一例を示すフローチャートである。
【符号の説明】
【００４０】
１：ウェブアンケートシステム
２：回答者の通信端末
３：インターネット（通信ネットワーク）
４：管理装置
８：質問項目
９：質問
１０：選択肢を含む回答欄
【図１】
2007172340.tif 000003
【図２】
2007172340.tif 000004
【図３】
2007172340.tif 000005
【図４】
2007172340.tif 000006
【図５】
2007172340.tif 000007
【図６】
2007172340.tif 000008